(57)【要約】【課題】複数の第１の像担持体上のトナーを重ね合わせる無端ベルト状の第２の像担持体と前記第２の像担持体上の残留トナーを除去するための清掃部材と該清掃部材により除去したトナーを直接重力により落下させ収容する容器を有する構成において、容器内に偏って積載される状態を未然に防ぎ充填率を高めること。【解決手段】容器１９bの開口部１９ｂ−１の幅Ｌ２は清掃部材１９ａの幅Ｌ１に対して長く、清掃部材１９ａの長手方向の幅が常に開口部１９ｂ−１の範囲内位置する関係を保持しつつ容器１９ｂがその長手方向に移動可能で、移動後の停止位置を変えて落下トナーを収容することとした。【選択図】図２
2008225357.tif 000002
【特許請求の範囲】
【請求項１】
複数の第１の像担持体上のトナーを重ね合わせる無端ベルト状の第２の像担持体と前記第２の像担持体上の残留トナーを除去するための清掃部材と該清掃部材により除去したトナーを直接重力により落下させ収容する容器を有し、前記容器のトナー回収用の開口部は前記清掃部材の長手方向の幅に対してその長手方向に長く、前記清掃部材の長手方向の幅が常に前記開口部の範囲内位置する関係を保持しつつ前記容器がその長手方向に移動可能で、移動後の停止位置を変えて前記落下トナーを収容することを特徴とする画像形成装置。
【請求項２】
請求項１に記載の画像形成装置において、前記容器の移動は画像の印字位置情報に基づき行うことを特徴とする画像形成装置。
【請求項３】
請求項１に記載の画像形成装置において、前記容器の移動は前記複数の像担持体それぞれに形成する画像の画素数情報に基づき行うことを特徴とする画像形成装置。
【請求項４】
請求項１に記載の画像形成装置において、前記容器の移動は第２の像担持体上におけるトナー量の情報に基づき行うことを特徴とする画像形成装置。
【請求項５】
請求項１に記載の画像形成装置において、画像の印字位置情報、前記複数の像担持体それぞれに形成する画像の画素数情報、第２の像担持体上におけるトナー量の情報の少なくとも２つ以上の組み合わせた情報に基づき実行されることを特徴とする画像形成装置。
【請求項６】
請求項１乃至５の何れかに記載の画像形成装置において、前記容器の移動は、その移動方向で前記開口部を少なくとも均等に複数分割した領域での前記清掃部材により除去したトナーの落下量の大小関係に基づき実行されることを特徴とする画像形成装置。
【請求項７】
請求項１乃至６の何れかに記載の画像形成装置において、
当該画像形成装置内で稼動する部材を振動付与手段とし、この振動付与手段の動きに連動して前記容器に振動を付与し該容器内に収容したトナー上面を均一にすることを特徴とする画像形成装置。
【請求項８】
請求項７に記載の画像形成装置において、前記第２の像担持体は少なくとも二つの支持ローラで支持されていてこれらの支持ローラはテンションローラを含み、前記容器は前記振動付与手段としての前記テンションローラに対して位置が決まる構成としたことを特徴とする画像形成装置。
【請求項９】
請求項７に記載の画像形成装置において、前記第２の像担持体を含むベルト装置は前記第１の像担持体に対し接離可能であって、前記振動付与手段としての該ベルト装置の前記接離動作に連動して前記容器へ振動を付与することを特徴とする画像形成装置。
【請求項１０】
請求項７に記載の画像形成装置において、前記第２の像担持体よりシート状媒体にトナー像を転写する転写手段を有し、且つ前記転写手段は、前記第２の像担持体に対し接離可能であって、
前記振動付与手段としての該転写手段の前記接離動作に連動し前記容器へ振動を付与することを特徴とする画像形成装置。
【請求項１１】
画像形成装置内で稼動する部材の動きに連動して前記容器に振動を付与し該容器内に収容したトナー上面を均一にする画像形成装置において、
請求項８乃至１０に記載された振動付与手段を少なくとも２つ以上組み合わせて前記容器内のトナー上面を均一にすることを特徴とする画像形成装置。
【請求項１２】
請求項１乃至６と請求項７乃至１１の任意の組み合わせからなることを特徴とする画像形成装置。
【発明の詳細な説明】
【技術分野】
【０００１】
本発明は、電子写真式複写装置、ファクシミリ、プリンタ、プロッタ、複合機、印刷装置等の画像形成装置に関し、詳しくは廃トナー用の収容器を具備した画像形成装置に関する。
【背景技術】
【０００２】
従来から、自由落下により廃トナーを容器内に溜め込む構成を取る場合、容器内の充填率を上げるために容器に振動を与え、平らにするというものは多く提案されている。
例えば特許文献１では、廃トナー容器を廃トナー容器収容部材に収容し、その周囲に第１の振動手段と第２の振動手段からなる廃トナー容器振動手段を設け、第１の振動手段は廃トナー容器収容部材をモータとカムによって左方に移動させ、付勢手段によって右方に付勢することによって廃トナーＴに水平方向に振動を与え、山状に堆積した廃トナーＴを平らにならす。また、第２の振動手段はモータとカムによって廃トナー収容部材に垂直方向に、第１の振動手段の振動よりも小さい振幅の振動を与え、廃トナーに含まれる空気を抜き、充填率を上げる構成としている。しかし、山状に堆積した廃トナーをモータとカムによって移動させて平らにならすには、相応の駆動エネルギーが必要である。
【０００３】
特許文献２では、搬送駆動機構と振動駆動機構を反転連結させる正逆転伝達手段を設け、用紙供給手段に設けた共用駆動源を利用して逆回転させるだけで廃トナー格納容器の振動を行うように構成することによって、専用の駆動源を省略し、複雑な切替機構や制御装置を不要としたもので搬送駆動手段を共通で利用し、振動を与える時は逆転動作を行わせる。
【０００４】
特許文献３では、感光体ドラムに対して設けたクリーニング装置で、廃トナーを回収して、廃トナーボックスに向けて搬送手段により搬送する。前記廃トナーボックスに対して、トナーボトルの回転に連動して叩き作用を付与する手段を設けて、現像装置にトナーを供給する際に、トナーボトルが回転により廃トナーボックスを振動させて、容器内部で廃トナーが偏った位置に溜まることがないように均す作用を行う。しかしながら、トナーボトルの回転はトナー補給時に限られる為、タイミング的にも不定期となり余り好ましくない。
特許文献４では給紙カセットを画像形成装置から引き出す動作に連動させて廃トナー容器に振動を与え、容器内の廃トナーを均す。これは、操作頻度、タイミング等についてユーザ間でばらつきが生じる可能性があること、よって、こちらもタイミング的に不定期となってしまう。
【０００５】
【特許文献１】特開２００６‐１１９３３６号公報
【特許文献２】特開２０００‐１９４２４３号公報
【特許文献３】特開２００５‐３３１８３２号公報
【特許文献４】特開２００１‐３１２１９０号公報
【発明の開示】
【発明が解決しようとする課題】
【０００６】
前記した各特許文献による技術は、容器内に山状などに積載されたトナーに振動等の外力を与えて均すものである。しかし、既に山状に積載された状態を容器に与える衝撃で均すのはそれに見合うエネルギーが必要である。
【０００７】
本発明は上述の事情の下になされたもので、容器内に偏って積載される状態を未然に防ぐことを第１とし、さらには特に専用の駆動源を設けること無くして、定期的な動作と同期させる事で容器に振動を与え効率良く廃トナーを均すことを目的とする。
【課題を解決するための手段】
【０００８】
前記課題を達成するため請求項１に係る発明は、複数の第１の像担持体上のトナーを重ね合わせる無端ベルト状の第２の像担持体と前記第２の像担持体上の残留トナーを除去するための清掃部材と該清掃部材により除去したトナーを直接重力により落下させ収容する容器を有し、前記容器のトナー回収用の開口部は前記清掃部材の長手方向の幅に対してその長手方向に長く、前記清掃部材の長手方向の幅が常に前記開口部の範囲内位置する関係を保持しつつ前記容器がその長手方向に移動可能で、移動後の停止位置を変えて前記落下トナーを収容することとした。
請求項２に係る発明は、請求項１に記載の画像形成装置において、前記容器の移動は画像の印字位置情報に基づき行うこととした。
請求項３に係る発明は、請求項１に記載の画像形成装置において、前記容器の移動（位置、移動タイミング）は前記複数の像担持体それぞれに形成する画像の画素数情報に基づき行うこととした。
請求項４に係る発明は、請求項１に記載の画像形成装置において、前記容器の移動（位置、タイミング）は第２の像担持体上におけるトナー量の情報に基づき行うこととした。  請求項５に係る発明は、請求項１に記載の画像形成装置において、画像の印字位置情報、前記複数の像担持体それぞれに形成する画像の画素数情報、第２の像担持体上におけるトナー量の情報の少なくとも２つ以上の組み合わせた情報に基づき実行されることとした。
請求項６に係る発明は、（１）乃至（５）の何れかに記載の画像形成装置において、前記容器の移動は、その移動方向で前記開口部を少なくとも均等に複数分割した領域での前記清掃部材により除去したトナーの落下量の大小関係に基づき実行されることとした。
請求項７に係る発明は、請求項１乃至６の何れかに記載の画像形成装置において、当該画像形成装置内で稼動する部材を振動付与手段とし、この振動付与手段の動きに連動して前記容器に振動を付与し該容器内に収容したトナー上面を均一にすることとした。
請求項８に係る発明は、請求項７に記載の画像形成装置において、前記第２の像担持体は少なくとも二つの支持ローラで支持されていてこれらの支持ローラはテンションローラを含み、前記容器は前記振動付与手段としての前記テンションローラに対して位置が決まる構成とした。
請求項９に係る発明は、請求項７に記載の画像形成装置において、前記第２の像担持体を含むベルト装置は前記第１の像担持体に対し接離可能であって、前記振動付与手段としての該ベルト装置の前記接離動作に連動して前記容器へ振動を付与することとした。
請求項１０に係る発明は、請求項７に記載の画像形成装置において、前記第２の像担持体よりシート状媒体にトナー像を転写する転写手段を有し、且つ前記転写手段は、前記第２の像担持体に対し接離可能であって、前記振動付与手段としての該転写手段の前記接離動作に連動し前記容器へ振動を付与することとした。
請求項１１に係る発明は、画像形成装置内で稼動する部材の動きに連動して前記容器に振動を付与し該容器内に収容したトナー上面を均一にする画像形成装置において、請求項８乃至１０に記載された振動付与手段を少なくとも２つ以上組み合わせて前記容器内のトナー上面を均一にすることとした。
請求項１２に係る発明は、請求項１乃至６と請求項７乃至１１の任意の組み合わせからなることとした。
【発明の効果】
【０００９】
本発明によれば、容器の位置をずらすことで容器内に偏って積載される状態を未然に防ぐことにより充填率を上げることを第１とし、さらには特に専用の駆動源を設けること無くして、定期的な動作と同期させることで容器に振動を与え効率良く廃トナーを均すことが可能となる。
【発明を実施するための最良の形態】
【００１０】
[１]  画像形成装置
以下、図面を参照しつつ、この発明の実施の形態につき説明する。
図１は、この発明の画像形成装置の一例として、タンデム型間接転写方式の電子写真装置の概略構造を示している。
【００１１】
図１において、当該電子写真装置の本体１の左右、上下の略中央には、無端ベルト状の第２の像担持体として中間転写体１０が設けられている。中間転写体１０は、多層構造、単層構造何れでも構わない。多層構造であればベース層を例えば伸びの少ないフッ素樹脂やＰＶＤＦシート、ポリイミド系樹脂でつくり、表面をフッ素系樹脂等の平滑性のよいコート層で被ってなるもの、単層であればＰＶＤＦ、ＰＣ、ポリイミド等材質を用いるものがある。なお本発明では、特に中間転写体１０の材質に関しは問わない。
【００１２】
図１に示すとおり、中間転写体１０は左右方向両端部を支持ローラ１２、１３に掛け回されており、さらに、これら支持ローラ１２、１３の下方に配置した支持ローラ１４、１５に掛け回して図中矢印で示すように反時計回りに回転駆動される構成となっている。
【００１３】
この図示例では、支持ローラ１３の左に、画像転写後に中間転写体１０上に残留する残留トナーを除去する中間転写体クリーニング装置１９が設けられている。この中間転写体クリーニング装置１９は、中間転写体１０を介して支持ローラ１３に接するウレタン等材料からなる清掃部材としてのブレード１９ａと、該ブレード１９ａにより除去され落下するトナーを直接収容する容器１９ｂ、ブレード１９ａの支持手段（図示せず）、該容器１９ｂを移動させるための手段（図示せず）などを含む。ブレード１９ａは中間転写体１０の回転方向に対しカウンター方向に当接されている。
【００１４】
支持ローラ１４と支持ローラ１５間に張り渡した中間転写体１０上には、その搬送方向に沿って、下流側から順にブラック、シアン、マゼンタ、イエローの４つの画像形成手段[Ｋ]、[Ｃ]、[Ｍ]、[Ｙ]を横に並べて配置してタンデム画像形成装置を構成している。上記タンデム画像形成装置の下には、図示されていない露光装置が設けられている。
【００１５】
画像形成手段[Ｋ]において、第１の像担持体としてのドラム状をした感光体１ｋのまわりには、矢印で示す回転方向順に帯電ローラ４ｋ、ブラックトナーによる現像装置９ｋ、転写ローラ１１ｄ、クリーニング装置２ｋが配置されている。転写ローラ１１ｋは回転可能であり、中間転写体１０を介して感光体１ｋに接している。転写ローラ１１ｋは弾性手段２７ｋにより感光体１ｋに向けて付勢されている。クリーニング装置２ｋに設けられたブレード３ｋは感光体１ｋにカウンター方向から接して転写残トナーを掻き落とす。感光体１ｋの周面上であって、帯電ローラ４ｋと現像装置９ｋとの間の位置は露光装置からの露光用の光５ｋが照射される部位であり、感光体１ｋの回転と共に静電潜像が形成される。
【００１６】
画像形成手段[Ｃ]、[Ｍ]、[Ｙ]についても、形成する画像の色が異なるだけでその構成は上記画像形成手段[Ｋ]におけると同じであるので図中では画像形成手段[Ｋ]におけると同じ機能をもつ部材等には同じ符号を付している。また必要に応じて添え字を付して識別可能にしている。因みに、画像形成手段[Ｃ]については画像形成手段[Ｋ]における符号の添え字ｋに代えて添え字ｃを付した符号で各構成部材等を示し、画像形成手段[Ｍ]については画像形成手段[ＢＫ]における符号の添え字ｋに代えて添え字ｍ、画像形成手段[Ｙ]については画像形成手段[ＢＫ]における符号の添え字ｋに代えて添え字ｍを付している。
また、転写ローラ１１ｙには転写バイアス電源１００が接続されている。他の転写ローラについてもこれに準ずる。
【００１７】
中間転写体１０の支持ローラ１２と対向して２次転写ローラ２１が設けられ、転写バイアス電源１０２が接続されている。支持ローラ１２とこれに対向する２次転写ローラ２１との対向部を経て搬送されるシート状媒体の矢印で示す送り方向下流側には、シート状媒体上の転写画像を定着する定着装置３０が設けられている。定着装置３０は、定着ローラ３０ａに加圧ローラ３０ｂを押し当てた構成となっている。
【００１８】
不図示のスタートスイッチを押すと、不図示の駆動モータで支持ローラ１２、１３，１４の１つを回転駆動して他の４つの支持ローラを従動回転し、中間転写体１０を回転搬送する。同時に、個々の画像形成手段[Ｋ]、[Ｃ]、[Ｍ]、[Ｙ]でその感光体１ｋ、１ｃ、１ｍ、１ｙを回転して各感光体１上にそれぞれ、ブラック、シアン、マゼンタ、イエローの単色画像を形成する。そして、中間転写体１０の回転搬送とともに、それらの単色画像を各転写ローラ１１ｋ、１１ｃ、１１ｍ、１１ｙにより順次中間転写体１０に重ね転写して中間転写体１０上に合成カラー画像を形成する。
【００１９】
一方、不図示のスタートスイッチを押すと、給紙テーブル３１の給紙ローラ２６の１つを選択回転し、ペーパーバンクに多段に備える給紙カセット２５の１つからシートを繰り出し、図示しない分離ローラで１枚ずつ分離して給紙路に入れ、搬送ローラ４０で搬送して複写機本体内の給紙路に導き、レジストローラ４５に突き当てて止める。
【００２０】
そして、中間転写体１０上の合成カラー画像にタイミングを合わせてレジストローラ４５を回転し、支持ローラ１２上の中間転写体１０と２次転写ローラ２１との間にシート状媒体を送り込み、２次転写ローラ２１で転写してシート状媒体上にカラー画像を記録する。画像転写後のシート状媒体は、２次転写ローラ２１と中間転写体１０とで搬送して定着装置３０へと送り込み、定着装置３０で熱と圧力とを加えて転写画像を定着して後、排出ローラ３２で排紙トレイ４２上に送り出してスタックする。
【００２１】
一方、画像転写後の中間転写体１０は、ブレード１９ａで、画像転写後の中間転写体１０上に残留する残留トナーを除去し、タンデム画像形成装置による再度の画像形成に備える。
【００２２】
[２]  発明の構成、作用（その１）
本実施例では、図１で説明したタンデム画像形成装置における中間転写体１０に用いるクリーニング装置１９について説明する。また、ブレード１９ａはウレタン製を用いる。
【００２３】
ブレードにより回収されたトナーは紙紛やその他異物の混入があるので一般的には回収トナー容器内に溜め込み、満杯になったら廃棄している。廃棄方法は、容器をユーザが交換するか或いはサービスマンが回収/交換する。よって、交換サイクルは長い方が好ましく、なるべく容器内のトナー充填率を上げることが望ましい。
【００２４】
本例のようなブレード１９ａで回収されたトナーが重力による自由落下により容器１９ｂ内に溜め込まれる場合、例えば同じ画像ばかり印刷した場合は常に支持ローラ１３の回転軸方向上の同一箇所に残留トナーがあるので、容器１９ｂ内に回収されるトナーも一部分のみに集中して山盛りになることが考えられる。このことは充填率という観点から望ましくない。
【００２５】
よって、本発明では図２に示すように、容器１９ｂのトナー回収用の開口部１９ｂ−１はブレード１９ａの長手方向の幅Ｌ１に対してその長手方向に長い開口幅Ｌ２を有する構成とし、ブレード１９ａの幅Ｌ１が常に開口部１９ｂ−１の範囲内位置する関係を保持しつつ容器１９ｂがその長手方向（図２の左右方向）に移動可能で、移動後の停止位置を変えてブレード１９ａによる落下トナーを収容することとした。ブレード１９ａの幅Ｌ１は支持ローラ１９の長手寸法（中間転写体１０の幅）に合わせてある。
【００２６】
容器１９ｂの長手方向の一側部（図２における右側部）は弾性部材４１で押圧されており、容器１９ｂの底部及び紙面を貫く前後側部は図示しない案内手段に案内されて、該容器１９ｂの長手方向に移動スライド可能である。但し、支持ローラ１３（中間転写体１０）、ブレード１９ａは容器１９ｂの長手方向には移動しない構成である。弾性部材４１による容器１９ｂの移動は弾性部材４１が設けられた側と反対側で容器１９ｂの側部に当接する駆動手段としての偏心カム４２により阻止されている。
【００２７】
偏心カム４２を所定量回転して停止することにより、容器１９ｂは支持ローラ１３（中間転写体１０）、ブレード１９ａ等に対してその長手方向での停止位置が変わる。この停止位置でブレード１９ａから掻き落とされた残留トナーを収容し、ある適量積載したら、カム４２を駆動して容器１９ｂを移動してその停止位置を変える。このようにして、停止位置を変えながら残留トナーを収容するので、固定位置で収容する従来技術に対して、中間転写体１０から除去されたトナーが容器の一部分にのみ溜まってしまうことなく、均され充填率が上がる。
【００２８】
容器１９ｂの移動は、その移動方向で開口部１９ｂ−１の開口幅Ｌ２を均等に複数分割した領域での前記清掃部材により除去したトナーの落下量の大小関係に基づき実行し、前記複数分割した領域でのトナーの積載量が同じになるように制御するのがよい。
【００２９】
上記の制御指針に基づき、容器１９ｂの移動位置、タイミング等は複数の像担持体それぞれに形成される画像の印字位置情報、中間転写体１０の位置に応じた画素数情報、同トナー量の情報、の何れか又はこれらの組み合わせにより行う。
【００３０】
これらの情報により、容器１９ｂの長手方向の位置でのトナー入力量を計算し予測することで、容器長手方向でなるべくトナーの量が均一になるように容器を移動させるような構成とした。容器の位置に関しては、図示しないセンサによって現在位置と目的移動位置を検出して偏心カム４２の回転量を設定してもよいし、図示しない駆動源の回転数等により管理してもよい。
【００３１】
また、この制御に際しては容器長手方向のトナー量の情報はなるべく細かい長手方向の位置にて記憶できるようにし、容器の停止位置を制御することが望ましい。その方がより均一にトナーを容器内に収容することが可能となるからである。
【００３２】
[３]  発明の構成、作用（その２）
前記した容器１９ｂの移動に加え、さらに、本例では容器１９ｂに振動を与えることで均し効果を高める。
当該画像形成装置内で稼動する部材を振動付与手段とし、この振動付与手段の動きに連動して容器１９ｂに振動を付与し該容器１９ｂ内に収容したトナー上面を均一にするのである。このようにすれば、振動を与えるための特別な駆動源を必要としないので、構成簡易となりスペース効率の低下も軽減して、一層の充填率の向上を図ることができる。
【００３３】
本例では図１に示したように中間転写体体１０は支持ローラ１２、１３、１４、１５で支持されているが、これらの支持ローラのうち支持ローラ１３はベルト状の中間転写体１０に画像形成に必要な所定のテンションを与えるテンションローラであり、また、支持ローラ１５は最終画像の色をカラーか、白黒かにより移動停止位置が上下方向に切り換わる構成である。
【００３４】
図１において示した支持ローラ１５の配置位置で、中間転写体１０は各感光体１ｋ、１ｃ、１ｍ、１ｙに対して同じ程度に接触している。この状態では各感光体１ｋ、１ｃ、１ｍ、１ｙからのトナー像が同じ条件で転写されるのでフルカラー画像を得るのに適している。
【００３５】
図３に拡大して示すように、支持ローラ１３は、弾性手段として伸張性のばね５０で押圧されており、このばね５０の押圧による支持ローラ１３の移動は中間転写体１０のテンションにより阻止されている。従って、図２において実線で示した支持ローラ１５の配置位置（図１における位置）から図３に２点鎖線で示した位置まで支持ローラ１５を上に移動させると、転写ローラ１１ｋを支点として中間転写体１０も支持ローラ１５と共に上に傾斜して変位する。
【００３６】
この結果、感光体１ｋと中間転写体１０との接触状態に変化ないが他の感光体（１ｍ、１ｃ、１ｙ）については中間転写体１０から離間しカラー画像が転写されないので、黒画像形成に適する状態となる。また、支持ローラ１５の移動に伴い、支持ローラ１３がテンションを一定に保つために各画像形成手段[Ｋ]、[Ｃ]、[Ｍ]、[Ｙ]の配列方向に移動し停止する。これに伴い容器１９ｂ、ブレード１９ａも移動する。
【００３７】
よって、容器１９ｂは振動付与手段としてのテンションローラ（支持ローラ１３）に対して位置が決まる構成とすることで、白黒画像形成モードからフルカラー画像形成モードおよびフルカラー画像モードから白黒画像形成モードへの切り換えに応じて、支持ローラ１５が移動停止する毎に容器１９ｂが移動停止し、この移動停止時の振動で容器１９ｂ内の収容積載トナーＴが均される。
【００３８】
また、図示しないが別例として、中間転写体を含むベルト装置を支持ローラについては変位させることなく、該ベルと装置全体としてその一端部を支点として揺動させることにより中間転写体１０と各感光体との接離関係を上記例と同じようにして白黒画像形成モード、フルカラー画像形成モード相互の切り換えを行う構成とすることもでき、かかる構成では該ベルト装置を振動付与手段とし、その感光体に対する接離動作に連動して容器１９ｂを移動停止させることで該容器１９ｂへ振動を付与することにより同様のトナー均し効果を得ることができる。
【００３９】
さらに別例として、図１における転写手段としての２次転写ローラ２１を通紙時のみ支持ローラ１２に接触させ、非通紙時には離間動作させる構成とし、この２次転写ローラ２１の移動動作に連動して、例えばリンク機構により容器１９ｂを動作するように構成することにより、容器１９ｂへ振動を付与して同様のトナー均し効果を得ることもできる。この場合は２次転写ローラ２１が振動付与手段となる。
【００４０】
以上各例で述べたように、あるタイミングで必ず移動を行う部品に位置決めすることで容器１９ｂに振動を与えることが可能となるので容器内のトナーが均されさらに充填率が向上する。振動を与える手段は前記した例に限らず、定期的に動作するもので比較的作動力が大きい駆動源から図示しないリンク機構を介して容器１９ｂに運動を伝達できればよく、専用の駆動源等を必要としないため、コスト、スペース的にも有利である。前記例では、中間転写体１０の１次転写接離（白黒画像形成モード、フルカラー画像形成モードの切り換え）、２次転写接離駆動（２次転写ローラ２１の移動と連動）と同期させた。これらの動作は、本来的に動作時の動力も大きく且つ音も比較的大きいため、容器１９ｂに作用する部材が該容器１９ｂを叩く振動音が耳障りになることもない。
【００４１】
以上述べた、発明の構成、作用（その１）、発明の構成、作用（その２）の各例は適宜組み合わせて実行することができ、相乗効果を得る。
【図面の簡単な説明】
【００４２】
【図１】本発明の一実施形態を採用した画像形成装置の概略構成図である。
【図２】中間転写体クリーニング装置の部分断面図である。
【図３】画像形成装置における本発明の要部を説明した図である。
【符号の説明】
【００４３】
１  本体
１ｋ、１ｃ、１ｍ、１ｙ  感光体
２ｋ、２ｃ、２ｍ、２ｙ  クリーニング装置
３ｋ、３ｃ、３ｍ、３ｙ  ブレード
４ｋ、４ｃ、４ｍ、４ｙ  帯電ローラ
５ｋ、５ｃ、５ｍ、５ｙ  （露光）光
９ｋ、９ｃ、９ｍ、９ｙ  現像装置
１０  中間転写体
１１ｋ、１１ｃ、１１ｍ、１１ｙ  転写ローラ
１２、１３、１４、１５  支持ローラ
１９  中間転写体クリーニング装置
１９ａ  ブレード
１９ｂ  容器
１９ｂ−１  開口部
２１  ２次転写ローラ
２５  給紙カセット
２６  給紙ローラ
２７  弾性手段
２９  搬送ローラ
３０  定着装置
３０ａ  定着ローラ
３０ｂ  加圧ローラ
３１  給紙テーブル
３２  排出ローラ
４０  搬送ローラ
４１  弾性部材
４２  偏心カム
４５  レジストローラ
５０  ばね
１０２  転写バイアス電源
Ｌ１  幅
Ｌ２  開口幅
Ｔ  トナー
[Ｋ]、[Ｃ]、[Ｍ]、[Ｙ]  画像形成手段
【図１】
2008225357.tif 000003
【図２】
2008225357.tif 000004
【図３】
2008225357.tif 000005